(57)【要約】【課題】【解決手段】構造体は、互いに対面する位置に配置された第一及び第二の面２４Ａ、２４Ｂがそれぞれ設けられた少なくとも第一及び第二のフィルタ部材１５Ａ、１５Ｂと、上記面を相互接続し且つ、上記面２４Ａ、２４Ｂの間を伸びる継手１７と、を備えている。第一の面２４Ａは上記継手１７との少なくとも１つの強力な領域３３Ａと、継手１７との少なくとも１つの弱い又は零の接着領域３５Ａとを備えている。これらの領域３３Ａ、３５Ａは、上記継手１７との弱い又は零の接着状態を呈する第二の面２４Ｂの領域３５Ｂと、上記継手１７との強力な接着状態を呈する第二の面２４Ｂの領域３５Ｂにそれぞれ対面する位置に配置されている。構造体は、内燃機関からの排気ガスに対する粒子フィルタに適用可能である。
2006522267.tif 000002
【特許請求の範囲】
【請求項１】
互いに対面する位置に配置された第一及び第二の面（２４Ａ、２４Ｂ）が設けられた少なくとも第一及び第二のフィルタ部材（１５Ａ、１５Ｂ）と、
前記面を互いに接続し且つ、前記面（２４Ａ、２４Ｂ）の間を伸びる継手（１７）と、を備える型式のフィルタ構造体、特に内燃機関からの排気ガス用の粒子フィルタにおいて、
第一の面（２４Ａ）は前記継手（１７）との少なくとも第一の強力な接着帯域（３３Ａ）と、継手（１７）との少なくとも１つの弱い又は零の接着帯域（３５Ａ）とを備え、
前記帯域（３３Ａ、３５Ａ）は、それぞれ、前記継手（１７）との第一の強力な接着領域と、継手（１７）との弱い又は零の接着領域とを備え、
前記領域は、第二の面（２４Ｂ）における前記継手（１７）との第一の弱い又は零の接着領域（３５Ｂ）と、第二の面（２４Ｂ）における前記継手（１７）との強力な接着領域（３３Ｂ）とに対面する位置にそれぞれ配置されることを特徴とする、フィルタ構造体、特に内燃機関からの排気ガス用の粒子フィルタ。
【請求項２】
請求項１に記載の構造体において、
前記継手（１７）との第二の強力な接着帯域（３３Ｃ）を更に備え、該第二の強力な接着帯域（３３Ｃ）は、第二の面（２４Ｂ）における前記継手（１７）との第二の弱い又は零の接着領域（３５Ｃ）に対面する位置に配置された、前記継手（１７）との第二の強力な接着領域を備えることを特徴とする、構造体。
【請求項３】
請求項２に記載の構造体において、
フィルタ構造体の少なくとも１つの部分にて、第一の面（２４Ａ）における前記継手（１７）との弱い又は零の接着領域（３５Ａ）は、前記第一の面（２４Ａ）における前記継手（１７）との第一及び第二の強力な接着領域（３３Ａ、３５Ｃ）の間に位置することを特徴とする、構造体。
【請求項４】
請求項３に記載の構造体において、
前記部分は長手方向部分であることを特徴とする、構造体。
【請求項５】
請求項３に記載の構造体において、
前記部分は断面であることを特徴とする、構造体。
【請求項６】
請求項１ないし５の何れか１つに記載の構造体において、
少なくとも１つのフィルタ部材（１５）は、関係したフィルタ部材（１５）の側面（２４）に対面するその側面（２４）の各々に、次のものすなわち、前記面（２４）の間を伸びてこれらの面を互いに接続する継手（１７）を有する角錐形のれんが（ｐｒｉｓｍａｔｉｃ  ｂｒｉｃｋ）であり、
れんがの側面（２４）の各々は、れんがと前記継手（１７）の側面との間の少なくとも１つの強力な接着帯域（３３）と、前記面（２４）と前記継手（１７）との間の少なくとも１つの弱い又は零の接着帯域（３５）とを備え、
該帯域は、前記継手（１７）との強力な接着状態を呈するれんがの前記面の領域（３３）と、前記継手（１７）との弱い又は零の接着状態を呈する前記面（２４）の領域（３５）とをそれぞれ備え、
前記領域は、前記継手（１７）との弱い又は零の接着状態を呈する関係したフィルタ部材（１５）の対向面（２４）の領域（３５）と、前記継手（１７）との強力な接着状態を呈する関係したフィルタ部材（１５）の対向面（２４）の領域（３３）とに対面する位置にそれぞれ配置されることを特徴とする、構造体。
【請求項７】
請求項６に記載の構造体において、
前記継手（１７）との強力な接着状態を呈するれんが（１５Ｃ）の第一の面（２４Ｄ）の領域（３３Ｄ）は、前記継手（１７）との弱い又は零の接着状態を呈する同一のれんが（１５Ｃ）の第二の面（２４Ｅ）の領域（３５Ｅ）から対向する位置に配置されることを特徴とする、構造体。
【請求項８】
請求項１ないし７の何れか１つに記載の構造体において、
前記継手との弱い又は零の接着状態の帯域（３５）の各々は、少なくとも構造体が作用状態に置かれる前に、接着防止被覆にて覆われることを特徴とする、構造体。
【請求項９】
請求項１ないし８の何れか１つに記載の構造体において、
第一及び第二のフィルタ部材（１５Ａ、１５Ｂ）の各々は、前記第一及び第二の面（２４Ａ、２４Ｂ）により相互に接続された導入面（２１）と、排出面（２３）とを有し、第一の面（２４Ａ）の少なくとも１つの下流領域（３５Ｈ；３５Ｌ）は、排出面（２３）と前記第一の面（２４Ａ）との間にて共通の端縁（７１；７１Ｋ）まで伸びる前記継手（１７）との弱い又は零の接着状態を呈することを特徴とする、構造体。
【請求項１０】
請求項９に記載の構造体において、
前記下流領域（３５Ｈ）は、第一のフィルタ部材（１５Ａ）の長手方向（Ｘ−Ｘ´）に対し平行に測定したとき、前記長手方向（Ｘ−Ｘ´）に沿った前記第一のフィルタ部材（１５Ａ）の長さの５分の１以下の長さを呈することを特徴とする、構造体。
【請求項１１】
請求項１０に記載の構造体において、
前記下流領域（３５Ｈ）は、第一のフィルタ部材（１５Ａ）の長手方向（Ｘ−Ｘ´）に対し平行に測定したとき、同一の面の少なくとも１つの他方領域（３３Ｅ、３３Ｆ）の２分の１以下の長さを呈することを特徴とする、構造体。
【請求項１２】
請求項９ないし１１の何れか１つに記載の構造体において、
第一のフィルタ部材（１５Ａ）は、第一の面（２４Ｋ）に隣接する側面（２４Ｍ）を更に備え、
該側面（２４Ｍ）は、前記側面（２４Ｋ）と前記排出面（２３）との間にて共通の出口端縁（７１Ｍ）まで伸びる前記継手（１７）との強力な接着状態の側部領域（３３Ｎ）を呈することを特徴とする、構造体。
【請求項１３】
請求項９ないし１２の何れか１つに記載の構造体において、
継手（１７）との弱い又は零の接着状態の少なくとも下流領域（３５Ｌ）は、継手（１７）に並んだ表面不規則部（表面凹凸部）（８１）、特に波状部及び（又は）溝を呈することを特徴とする、構造体。
【発明の詳細な説明】
【技術分野】
【０００１】
本発明は、
互いに対面する位置に配置された第一及び第二の面が設けられた少なくとも第一及び第二のフィルタ部材と、
上記面を互いに接続し且つ、上記面の間を伸びる継手と、を備える型式のフィルタ構造体、特に内燃機関からの排気ガス用の粒子フィルタに関する。
【背景技術】
【０００２】
かかる構造体は、特に、内燃機関からの排気ガスを無汚染状態にする装置にて使用されている。かかる装置は、触媒浄化部材と、粒子フィルタとを直列に有する排気管を備えている。触媒浄化部材は、気体相にある汚染性排出物を処理し得るようにされる一方、粒子フィルタは、エンジンにより排出された煤粒子を保持し得るようにされている。
【０００３】
上述した型式の既知の構造体において（例えば、欧州特許出願明細書ＥＰ−Ａ−１１４２６１９号参照）、フィルタ部材は、多孔質フィルタ壁により分離された平行な軸線を有する１組みの隣接する管路を備えている。該管路は、ろ過すべき排気ガスを導入する導入面と、ろ過した排気ガスを排出する排出面との間を伸びている。管路は、また、その一端又は他端にて閉じられ、導入面に対して開放する入口チャンバと、排出面に対して開放する出口チャンバとを画成する。
【０００４】
これらの構造体は、一連のろ過段階と再生段階にて作用する。ろ過段階の間、エンジンにより排出された煤粒子は、入口チャンバの壁に付着する。フィルタを通じての水頭圧の損失は次第に増す。上記水頭圧に対する幾つかの所定の値を超えると、再生段階が行われる。
【０００５】
再生段階の間、基本的に炭素により構成される煤粒子は、入口チャンバの壁にて燃焼され、構造体に対するその当初の性質を回復する。
【０００６】
しかし、煤粒子は、フィルタ部材内にて均一な状態に蓄積しない。このため、煤は、フィルタ構造体の中心にて且つ、排気ガスの排出面に向けて優先的に蓄積する。再生段階の間、煤の燃焼により優先的蓄積帯域内の温度は構造体の他の帯域にて観察される温度よりも高い温度まで上昇する。
【０００７】
フィルタ構造体内の温度勾配の結果、各種の大きさにて局部的に膨張し、その結果、色々なフィルタ部材内にて長手方向及び横方向応力が生じ及び（又は）これらフィルタ部材の間に応力が生ずる。
【０００８】
これら高レベルの熱機械的応力は、フィルタ部材内にて及び（又は）フィルタ部材間の接続継手に亀裂を生じさせる。
【０００９】
かかる亀裂が生ずる虞れを制限するため、欧州特許出願明細書ＥＰ−Ａ−１１４２６１９号は、０．３ミリメータ（ｍｍ）ないし３ｍｍの範囲にて選ばれた厚さを有し且つ、０．１ワット／ｍケルビン（Ｗ／ｍ．Ｋ）ないし１０Ｗ／ｍ．Ｋの範囲の熱伝導率を有する接続継手を使用することを提案している。
【発明の開示】
【発明が解決しようとする課題】
【００１０】
当該構造体は、完全に満足し得るものではない。ある回数の再生段階を超えると、接続継手に亀裂が生じる可能性がある。これらの亀裂に伴って、フィルタ構造体内での凝着が完全に失われる。この凝着の損失は、漏洩を生じさせ、従って、構造体を交換しなければならない。
【００１１】
本発明の主目的は、その短所を緩和すること、すなわち、フィルタの利用期間を引延ばすことを可能にする粒子フィルタ用の多孔質フィルタ構造体を提供することである。
【課題を解決するための手段】
【００１２】
この目的のため、本発明は、第一の面は上記継手との少なくとも第一の強力な接着帯域と、継手との少なくとも１つの弱い又は零の接着帯域とを備え、上記帯域は、上記継手との第一の強力な接着領域と、継手との弱い又は零の接着領域とをそれぞれ備え、上記領域は、第二の面における上記継手との第一の弱い又は零の接着領域と、第二の面における上記継手との強力な接着領域とに対面する位置にそれぞれ配置されることを特徴とする、上述した型式のフィルタ構造体を提供する。
【００１３】
本発明のフィルタ構造体は、独立的に又は技術的に実現可能な組み合わせにて、次の特徴の１つ以上を備えることができる。すなわち、
第一の面は、上記継手との第二の強力な接着帯域を備え、該第二の強力な接着帯域は、第二の面における上記継手との第二の弱い又は零の接着領域に対面する位置に配置された、上記継手との第二の強力な接着領域を備え、
フィルタ構造体の少なくとも１つの部分にて、第一の面における上記継手との弱い又は零の接着領域は、上記第一の面における上記継手との第一及び第二の強力な接着領域の間に位置し、
上記部分は長手方向部分であり、
上記部分は断面であり、
フィルタ部材は、関係したフィルタ部材の側面に対面するその側面の各々に、次のものを有する、すなわち、上記面の間を伸びてこれらの面を互いに接続する継手を有する角錐形のれんがであり、れんがの側面の各々は、れんがと上記継手の側面との間の少なくとも１つの強力な接着帯域と、上記面と上記継手との間の少なくとも１つの弱い又は零の接着帯域とを備え、該帯域は、上記継手との強力な接着状態を呈するれんがの上記面の領域と、上記継手との弱い又は零の接着状態を呈する上記面の領域とをそれぞれ備え、上記領域は、上記継手との弱い又は零の接着状態を呈する関係したフィルタ部材の対向面の領域と、上記継手との強力な接着状態を呈する関係したフィルタ部材の対向面の領域とに対面する位置にそれぞれ配置され、
上記継手との強力な接着状態を呈するれんがの第一の面の領域は、上記継手との弱い又は零の接着状態を呈する同一のれんがの第二の面の領域から対向する位置に配置され、
上記継手との弱い又は零の接着状態の帯域の各々は、少なくとも構造体が作用状態に置かれる前に、接着防止被覆にて覆われ、
第一及び第二のフィルタ部材の各々は、上記第一及び第二の面により相互に接続された導入面と、排出面とを有し、第一の面の少なくとも１つの下流領域は、排出面と上記第一の面との間にて共通の端縁まで伸びる上記継手との弱い又は零の接着状態を呈し、
上記下流領域は、第一のフィルタ部材の長手方向に対し平行に測定したとき、上記長手方向に沿った上記第一のフィルタ部材の長さの５分の１以下の長さを呈し、
上記下流領域は、第一のフィルタ部材の長手方向に対し平行に測定したとき、同一の面の少なくとも１つの他方領域の２分の１以下の長さを呈し、
第一のフィルタ部材は、第一の面に隣接する側面を更に備え、該側面は、上記側面と上記排出面との間にて共通の出口端縁まで伸びる上記継手との強力な接着状態の側部領域を呈し、
継手との弱い又は零の接着状態の少なくとも下流領域は、継手に並んだ表面不規則部（表面凹凸部）、特に波状部及び（又は）溝を呈するようにしたことを特徴とする。
【００１４】
「角錐状れんが」という語は、入口面と、出口面と、該入口面を該出口面に接続する少なくとも３つの側面とを有する組立体を表わす。
【００１５】
本発明の実施の形態に関して、添付図面を参照しつつ以下に説明する。
【発明を実施するための最良の形態】
【００１６】
図１に示した粒子フィルタ１１は、自動車のディーゼルエンジンからの排気ガスに対する排気管１３内に配置されており、排気管の一部のみが図面に示されている。
【００１７】
該排気管１３は、粒子フィルタ１１の端部を超えて伸びており且つ、排気ガスが流動する通路を画成する。
【００１８】
粒子フィルタ１１は、排気ガスの長手方向の流れ方向Ｘ−Ｘ´に沿って伸びている。該粒子フィルタは、接続継手１７により相互に接続された複数のフィルタブロック１５を備えている。
【００１９】
フィルタブロック１５の各々は、実質的に、長手方向Ｘ−Ｘ´に向けて伸びる細長い矩形の平行六面体の形態をしている。
【００２０】
図２に示すように、フィルタブロック１５Ａ、１５Ｂの各々は、多孔質フィルタ構造体１９と、ろ過すべき排気ガスを導入する導入面２１と、ろ過した排気ガスを排出する排出面２３と、少なくとも４つの側面２４とを備えている。
【００２１】
多孔質フィルタ構造体１９は、単一体構造体、特にセラミック（コージュライト（ｃｏｒｄｉｅｒｉｔｅ）又は炭化ケイ素）により構成されたフィルタ材料にて出来ている。
【００２２】
構造体１９は、排気ガスが通り抜けるのを許容するのに十分多孔質である。しかし、既知であるように、孔は、煤粒子を保持するのに十分小さいように選ばれた直径をしている。
【００２３】
多孔質構造体１９は、長手方向Ｘ−Ｘ´に対し平行な軸線の１組みの隣接する管路を備えている。これらの管路は、多孔質フィルタ壁２５により分離されている。図１に示した実施例において、これらの壁２５は一定の厚さであり且つ、導入面２１から排出面２３までフィルタ構造体１９に沿って長手方向に伸びている。
【００２４】
管路は、第一及び第二の群の管路、すなわち、第一の群の管路２７と、第二の群の管路２９として編成されている。入口管路２７及び出口管路２９は反対方向に伸びている。
【００２５】
入口管路２７は、フィルタブロック１５Ａ、１５Ｂの排出面２３にて閉じられ且つ、それらの他端にて開放している。
【００２６】
これに反して、出口管路２９は、フィルタブロック１５Ａ、１５Ｂの導入面２１にて閉じられ、また、これらの管路はその排出面２３内に開放している。
【００２７】
図１の例において、入口管路２７及び出口管路２９は、それらの全長に沿って一定の断面となっている。
【００２８】
図１に示すように、別のフィルタブロックに対面する位置に配置されたフィルタブロックの側面２４は平面状である。排気管１３に対面する位置に配置された側面３１は、管１３の円筒状内壁と接触するのに適した形状をしている。
【００２９】
図２、図３に示すように、別のフィルタブロックに対面する位置に配置された平面２４の各々は、継手１７に強固に固定された少なくとも１つの帯域３３と、構造体１９の製造中、接着防止被覆にて覆われる少なくとも１つの他方の帯域３５とを有している。単に一例として、該被覆は、紙、ポリテトラフルオロエチレン又は窒化ホウ素系のものである。
【００３０】
このように、帯域３３は、継手１７との強力な接着領域を構成する一方、帯域３５は継手１７との弱い又は零の接着領域を構成する。
【００３１】
強力な接着帯域３３における接続継手１７と、フィルタブロック１５の平面２４との間の接着は、弱い又は零の接着帯域３５における接着よりも少なくとも１０倍強力であり、該接着程度は０ないし５０メガパスカル（ＭＰａ）の範囲にある。
【００３２】
単に一例として、帯域３３及び帯域３５をフィルタブロック１５の平面２４に配置する状態は図２、図３に示す通りである。
【００３３】
図２に示すように、第一のフィルタブロック１５Ａの第一の平面２４Ａは、長手方向Ｘ−Ｘ´に沿って連続的に、継手１７との強力な第一の接着帯域３３Ａと、継手１７との弱い又は零の接着帯域３５Ａと、継手１７との強力な第二の接着帯域３３Ｃとを備えている。
【００３４】
第二のフィルタブロック１５Ｂは、第一の面２４Ａに望む第二の面２４Ｂを有している。
【００３５】
この第二の面２４Ｂは、方向Ｘ−Ｘ´に向けて連続的に、第一の面２４Ａにおける第一の強力な接着帯域３３Ａに対面する弱い又は零の接着帯域３５Ｂと、第一の面２４Ａにおける弱い又は零の接着帯域３５Ｂに対面する強力な接着帯域３３Ｂと、第一の面２４Ａにおける第二の強力な接着帯域３３Ｃに対面する第二の弱い又は零の接着帯域３５Ｃとを備えている。
【００３６】
図３に示した例において、強力な接着帯域３３及び弱い又は零の接着帯域３５のこの相対的な配置は、フィルタブロック１５の任意の１つのものにおける平面２４の全てに共通する。
【００３７】
接続継手１７は、フィルタブロック１５の平面２４の間に配置される。この接続継手１７は、全体として、シリカ及び（又は）炭化ケイ素及び（又は）窒化アルミニウムにて構成された、セラミックセメント系のものである。焼結後、セメントは、約５０００ＭＰａの弾性率を有する。このセメントがフィルタブロックを互いに接合する。
【００３８】
構造体が１９を組み立てるとき、第一のフィルタ段は、接続継手１７を使用してフィルタブロック１５を垂直面に沿って対にて組み立てることにより構成される。
【００３９】
次に、同一の方法を使用して第二のフィルタ層を形成する。
【００４０】
接続継手が極めて硬いセメントにより構成されたとき、また、帯域３３、３５がブロック１５の色々な面に配置される方法に関係なく、第一及び第二のフィルタ層を水平面を介して互いに組み立てる前に、保護片（例えば、カードのスリップ）をれんがの水平面の間に配置し、弱い又は零の接着状態の垂直面の帯域に隣接する端縁を覆うようにする。このことは、接続継手が垂直面の弱い又は零の接着帯域の間に強力な接着状態の水平端縁を形成するのを回避する。
【００４１】
本発明の第一のフィルタ構造体の作用について、以下に説明する。
【００４２】
ろ過段階（図１）の間、粒子を含む排気ガスは、排気管１３によってフィルタブロック１５の入口面２１に案内される。図２に矢印で示すように、次に、ガスは、入口管路２７内に侵入し、多孔質構造体１９の壁２５を通って進む。ガスが壁２５の壁を通過すると、煤は入口管路２７内の壁２５に堆積する。煤は、粒子フィルタ１１の中心部内に且つ、フィルタブロック１５の排出面２３に向けて（図面の右側）優先的に堆積する。
【００４３】
ろ過後の排気ガスは、排出管路２９から排出され且つ、マフラーの出口まで案内される。
【００４４】
車が約５００キロメートル（ｋｍ）走行したならば、フィルタ１１における水頭圧損失は顕著に増大する。その後に、再生段階が行われる。
【００４５】
この段階の間、煤は、フィルタ１１の温度を上昇させることにより酸化される。この酸化は発熱作用を伴う。煤をフィルタ１１内にて不均一に分配する結果、多量の煤が蓄積した帯域と小量の煤が蓄積した帯域との間に温度勾配が生ずる。
【００４６】
更に、フィルタブロック及び継手は、温度の作用の下、膨張する。この膨張の局部的な程度は、温度に依存する。
【００４７】
温度勾配の作用下におけるこれらの各種の膨張程度の結果、高レベルの熱機械的応力が生じる。当該出願人は、本発明のシステムは、その弱い又は零の接着帯域のため、フィルタ部材又は接続継手に亀裂を生じさせることなく、応力を緩和することを可能にするものと考える。
【００４８】
更に、弱い又は零の接着帯域と強力な接着帯域とは、構造体に対する熱機械的応力が過大であるならば、優先的な帯域４１内にて亀裂が生じるような要領にて配置されている。
【００４９】
このように、図４に示すように、継手１７内での亀裂４１の伝播は継手１７とフィルタブロック１５の平面２４の間の弱い又は零の接着帯域３５に沿って案内される。このように、第一のフィルタブロック１５Ａと第二のフィルタブロック１５Ｂとの間の亀裂４１は、第二の面２４Ｂにおける第一の弱い又は零の接着帯域３５Ｂに集中し、その後、上記帯域３５Ｂの右端と、第一の面における弱い又は零の接着帯域３５Ａの左端との間に集中し、次に、上記弱い又は零の接着帯域３５Ａに沿って集中する。
【００５０】
上記帯域３５Ａ、３５Ｂ内にて継手１７に完全に亀裂が生じた場合でも、継手１７の第一の部分４３Ａは、第一の面２４Ａにおける第一の強力な接着帯域３３Ａ内にて第一のフィルタブロック１５Ａに固定されたままである。第一の部分４３Ａと相補的な形状の継手１７の第二の部分４３Ｂは、第二の面２４Ｂの強力な接着帯域３３Ｂに沿って第二のフィルタブロック１５Ｂに固定されたままである。
【００５１】
継手１７のこれらの第一及び第二の部分４３Ａ、４３Ｂ間の相互作用は、第一のフィルタブロック１５Ａがフィルタブロック１５Ａ、１５Ｂの排出面２３に向けて第二のフィルタブロック１５Ｂに対し長手方向に動くのを防止する。
【００５２】
更に、亀裂４１の伝播は、第一の面２４Ａにおける弱い又は零の接着帯域３５Ａの右端と上記第二の帯域３５Ｃに沿って第二の面２４Ｂにおける第二の弱い又は零の接着帯域３５Ｃの左端の間にて案内される。
【００５３】
上記帯域３５Ｂ、３５Ｃ内にて継手に完全に亀裂が生じた場合でさえ、第一のフィルタブロック１５Ａは、第一の面２４Ａにおける第二の強力な接着帯域３３Ｃと整合して継手１７の第三の部分４３Ｃに固定されたままである。この第三の部分４３Ｃは、継手１７の第二の部分４３Ｂと相補的な形状である。
【００５４】
この第三の部分４３Ｃは、第二の部分４３Ｂと相互作用し、第一のブロック１５Ａがフィルタブロック１５Ａ、１５Ｂの導入面２１に向けて長手方向Ｘ−Ｘ´に沿って第二のブロック１５Ｂに対して変位するのを防止する。
【００５５】
このように、この粒子フィルタにおいて、熱機械的応力は、構造体自体により（零の接着帯域が存在する場合）、又は制御された仕方にて伝播する亀裂４１の形成により、それらの強さに依存して、緩和される。
【００５６】
更に、継手１７におけるこれらの亀裂４１の伝播は、フィルタブロック１５が互いに対して変位するのを防止し、これにより粒子フィルタ１１が煤を通すのを防止する作用を保つことを保証するような要領にて案内される。
【００５７】
図５に示した変形例において、図３に示した構造体と相違して、フィルタブロック１５の平面２４の各々における継手１７との強力な接着帯域３３及び継手１７との弱い又は零の接着帯域３５は、長手方向Ｘ−Ｘ´に対し平行な方向と、長手方向Ｘ−Ｘ´に対し垂直な横方向Ｙ−Ｙ´、Ｚ−Ｚ´に対し平行な方向との双方に向けて、交互に連続的に配置されている。このように、帯域３３、帯域３５は、各ブロック１５の面２４の各々にてチェッカボード構造体を形成する。
【００５８】
更に、ブロック１５の面２４における継手１７との強力な接着帯域３３、及び継手１７との弱い又は零の接着帯域３５は、継手１７との弱い又は零の接着帯域３５と、別のブロック１５の面２４における継手１７との強力な接着帯域３３とそれぞれ整合した位置に配置される。
【００５９】
この構造体において、ブロックの間の相対的な変位は、長手方向Ｘ−Ｘ´、及び横方向Ｙ−Ｙ´、Ｚ−Ｚ´の双方に向けて回避される。
【００６０】
図６に示した変形例において、中央フィルタブロック１５Ｃは、方向Ｘ−Ｘ´に沿い且つ、第一の面２４Ｄ上にて、連続的に、継手１７との第一の強力な接着帯域３３Ｄと、継手１７との単一の弱い接着帯域３５Ｄとを備えている。第一の面２４Ｄに対向する第二の面２４Ｅにおいて、該フィルタブロックは、継手１７との第一の強力な接着帯域３３Ｄと対向する第二の弱い又は零の接着帯域３５Ｅと、継手１７との第一の弱い又は零の接着帯域３５Ｄに対向する、継手１７との第二の強力な接着帯域３３Ｅとを備えている。第一の面２４Ｄ及び第二の面２４Ｅに対面する位置に配置されたフィルタブロック１５Ｄ、１５Ｅは、中央フィルタブロック１５Ｃの第一の面２４Ｄ及び第二の面２４Ｅの弱い接着帯域３５Ｄ、３５Ｅ、及び強力な接着帯域３３Ｄ、３３Ｅにそれぞれ対面する強力な接着帯域と、弱い接着帯域とを有している。
【００６１】
この例において、継手１７に亀裂が生じるならば、排出面２３に向けた中央フィルタブロック１５Ｃの相対的な長手方向への変位は、その第一の面２４Ｅにおける強力な接着帯域と弱い接着帯域との相対的な配置により防止される。同様に、導入面２１に向けた上記ブロック１５Ｃの相対的な長手方向への変位は、その第二の面２４Ｅにおける強力な接着帯域と弱い又は零の接着帯域との配置により防止される。
【００６２】
１つの変形例において、ブロックの１つの面における強力な接着帯域の一部分は、対向するブロックにおける強力な接着帯域の一部分に対面する位置に配置することができる。同様に、ブロックの１つの面における弱い又は零の接着帯域の一部分は、対向するブロックにおける弱い又は零の接着帯域の一部分に対面する位置に配置することができる。
【００６３】
上述した本発明により、その機械的凝着及び煤が通り抜けるのを防止するその能力を保持しつつ、多数回の再生段階に耐えることのできるフィルタ構造体を得ることが可能である。
【００６４】
図７に示した変形例において、第一の面２４Ａは、上流から下流にかけ且つ長手方向Ｘ−Ｘ´に対し平行に、連続的に、継手１７との第四の強力な接着帯域３３Ｅと、継手１７との第五の弱い又は零の接着帯域３５Ｆと、継手１７との第六の強力な接着帯域３３Ｇと、継手１７との第七の弱い又は零の接着帯域３５Ｈとを備えている。第一の面２４Ａにおける継手１７との強力な接着帯域３３の各々は、第二の面２４Ｂの継手１７との弱い又は零の接着帯域３５に対面する位置に配置される。更に、第一の面２４Ａの継手１７との弱い又は零の接着帯域３５の各々は、第二の面２４Ｂにおける継手１７との強力な接着帯域３３に対面する位置に配置される。
【００６５】
図７に示すように、継手１７との第七の弱い又は零の接着帯域３５Ｈは、第一のフィルタブロック１５Ａの第一の面２４Ａと、出口面２３とに共通する端縁７１により下流に画成される。
【００６６】
更に、長手方向Ｘ−Ｘ´に沿った第六及び第七の帯域３３Ｇ、３５Ｈの各々の長さは、長手方向Ｘ−Ｘ´に沿った第一のフィルタブロック１５Ａの長さの５分の１よりも短く、また、同様に長手方向Ｘ−Ｘ´に沿った第三及び第四の帯域３３Ｅ、３５Ｆの各々の長さの２分の１以下である。
【００６７】
第一のブロック１５Ａ内にて継手１７に亀裂が生じる場合、この配置は、入口面２１と第六の帯域３３Ｇの下流端縁７３を通過する横断面Ｐ´との間に配置された横方向亀裂面Ｐにより画成された第一のフィルタブロック１５Ａの任意の下流部分１１５Ａを保持する作用を果たす。
【００６８】
この保持機能は、第七の帯域３５Ｈに対面する継手１７にて第二のブロック１５Ｂに固定された当接部１３５Ｈと、第六の帯域３３Ｇに対面する継手１７内にて下流部分１１５Ａに固定された当接部１３３Ｇとが協働することにより提供される。
【００６９】
更に、第一のブロック１５Ａが無傷のままであり、第二のブロック１５Ｂにて亀裂が生じる状況において（図示せず）、入口面２１と第五の帯域３５Ｆの下流端縁７５を通過する平面Ｐ´´との間に配置された横方向亀裂平面により画成された第二のフィルタブロック１５Ｂの任意の下流部分は保持される。
【００７０】
図８に示した変形例において、ブロック１５の各々は、少なくとも１つの第一の面２４Ｋを保持しており、該第一の面２４Ｋは、上流から下流にかけて連続的に、継手１７との第一の弱い又は零の接着帯域３５Ｋと、継手１７との強力な接着帯域３３Ｋと、第一の面２４Ｋ及び出口面２３に共通する端縁７１Ｋによりその下流端に画成された、継手１７との第二の弱い又は零の接着帯域３５Ｌとを提供する。
【００７１】
更に、ブロック１５の各々は、第一の面２４Ｋに隣接する側面２４Ｍをも提供し、該側面２４Ｍは、上流から下流にかけて、連続的に、継手１７との第一の強力な接着帯域３３Ｍと、継手１７との弱い又は零の接着帯域３５Ｍと、側面２４Ｍ及び出口面２３に共通する出口端縁７１Ｍに隣接する、継手１７との第二の強力な接着帯域３３Ｎとを提供する。
【００７２】
この「チェッカボード」構造体において、第一の面２４Ｋにおける継手１７との強力な接着帯域３３の各々は、隣接する面２４Ｍにおける継手１７との弱い又は零の接着帯域３５に隣接している。
【００７３】
図９に示した変形例において、ブロックの各々における弱い又は零の接着帯域３５は、当該出願人の名による仏国特許出願明細書０３／０８５８８号に記載されたように、継手１７に並んで、例えば、溝及び（又は）波状部のような表面不規則部（表面凹凸部）８１を提供する。
【００７４】
これらの表面凹凸部８１は、ブロック１５の長手方向Ｘ−Ｘ´に対し傾斜し又は横方向となる方向に対し平行に伸びることが好ましい。
【００７５】
これらの凹凸部８１の結果、弱い又は零の接着帯域３５の堅固さが増大する。このように、第一のブロック１５Ａの共通の端縁７１に隣接する継手１７との弱い又は零の接着帯域３５Ｃにおける増大した堅固さは、第一のブロック１５Ａ内にて横方向平面内に亀裂が生じた場合、さもなければ分離するであろう第一のフィルタブロックの下流部分１１５Ａを保持する機能を果たす。
【図面の簡単な説明】
【００７６】
【図１】本発明の第一のフィルタ構造体を示す斜視図である。
【図２】図１のフィルタ構造体を示す、線ＩＩ−ＩＩに沿った部分断面図である。
【図３】図１のフィルタ構造体の部分分解斜視図である。
【図４】フィルタ構造体の数回の再生サイクル後における図２と同様の図である。
【図５】本発明の第一のフィルタ構造体の１つの変形例を示す、図３と同様の図である。
【図６】本発明の第二のフィルタ構造体を示す図２と同様の図である。
【図７】本発明の第三のフィルタ構造体を示す、より大きい縮尺による図４と同様の図である。
【図８】本発明の第四のフィルタ構造体を示す、図３と同様の図である。
【図９】本発明の第五のフィルタ構造体を示す、より大きい縮尺による図２と同様の図である。
【図１】
2006522267.tif 000003
【図２】
2006522267.tif 000004
【図３】
2006522267.tif 000005
【図５】
2006522267.tif 000006
【図４】
2006522267.tif 000007
【図６】
2006522267.tif 000008
【図７】
2006522267.tif 000009
【図８】
2006522267.tif 000010
【図９】
2006522267.tif 000011
【国際調査報告】
2006522267.tif 000012
2006522267.tif 000013
2006522267.tif 000014
2006522267.tif 000015